(57)【要約】      （修正有）【課題】凹凸のしわを形成した生地を用いた身体保温衣において、保温効果を更に向上させ、被着時の地肌に残る凹凸の痕及び肌のチクチク感に代表される不快感を解消する。【解決手段】凹凸のしわを形成する生地を外側に、内側に他の生地を合わせることにより、凹凸のしわにより形成される空間を他の生地が覆うことにより、空間部が固定され、内側の生地が被着時の地肌に残る凹凸の痕を軽減し、肌の不快感を解消することを特徴とする。【選択図】図４
0003150175.tif 000002
【実用新案登録請求の範囲】
【請求項１】
ある間隔でポリウレタンを織り込んだものを外側の生地１とし、その内側となる面にポリウレタンを織り込んでいない生地を重ねてある間隔で縫い合わせ、前記縫い合わせた生地の端部を合わせて筒状に縫い合わせ、前記筒状に形成した生地に熱を加えることでポリウレタンを収縮させ、外側の生地に凹凸のしわを形成し、内側の生地にはたるみが形成されることで空気層を形成することを特徴とする身体保温衣。
【請求項２】
筒状の形成した生地の端部にゴムを取り付けたことを特徴とする請求項１記載の身体保温衣。
【考案の詳細な説明】
【技術分野】
【０００１】
本考案は、保温性の優れた身体保温衣に関するものである。
【背景技術】
【０００２】
従来より生地に凹凸のしわ加工を施し、衣服としてのデザイン性を持たせたり、その凹凸のしわを利用して、その空間の空気層により保温性を高める方法が採用されている。
この製法としては、生地を織る際に、ある間隔でポリウレタンを織り込み、完成した生地に熱を加え、熱によってポリウレタンが収縮することで、凹凸のしわを形成するものである。
【０００３】
前述の方法で完成した生地は、伸縮可能であるため、筒状に縫い合わせたものを、膝や肘又は腹巻として利用されることが多い。しかし、地肌に直接着けた場合は、長時間装着することが多いこともあり、凹凸のしわの痕が地肌に残る及び凹凸の突起により肌にチクチク感がある等の課題がある。特開平９−１７６９３８に於いて、天竺編を２重にすることで、保温性のある生地の記載があるが、生産効率が悪い等のことが予想される。
【先行技術文献】
【特許文献】
【０００４】
【特許文献１】特開平９−１７６９３８（図１）
【考案の概要】
【考案が解決しようとする課題】
【０００５】
解決しようとする課題は、凹凸のしわを形成した生地を用いた身体保温衣において、保温効果を更に向上させ、被着時の地肌に残る凹凸の痕及び肌のチクチク感に代表される不快感を解消することにある。
【課題を解決するための手段】
【０００６】
本考案は、凹凸のしわを形成する生地を外側に、内側に他の生地を合わせることにより、凹凸のしわにより形成される空間を他の生地が覆うことにより、空間部が固定され、内側の生地が被着時の地肌に残る凹凸の痕を軽減し、肌の不快感を解消することを特徴とする。
【考案の効果】
【０００７】
本考案の身体保温衣を被着すると、凹凸のしわで形成された空間部が、内側の生地で覆われていることで、暖まった空気が保持され保温効果が向上する。内側に縫い付ける生地により地肌が保護され、凹凸のしわの痕を軽減し肌の不快感を解消できる。
【０００８】
端部に縫いつけたゴムにより、身体からのズレ落ちを防ぎ、快適な被着感を提供することができる。
【図面の簡単な説明】
【０００９】
【図１】外側の生地の一例の平面図
【図２】外側と内側の生地を縫い合わせた状態の一例の平面図
【図３】縫い合わせた生地を筒状に形成した一例の斜視図
【図４】熱を加えた後の一例の平面図
【図５】Ａ−Ｂ断面図
【図６】ゴムを取り付けた場合の一例の斜視面図
【考案を実施するための形態】
【００１０】
本考案の詳細について、図面を引用して説明する。
【実施例１】
【００１１】
生地を織る際に、ある間隔でポリウレタンを織り込んだものを外側の生地１とし、その内側となる面にポリウレタンを織り込んでいない生地を重ねてある間隔で縫い合わせる。前記縫い合わせた生地の端部を合わせて筒状に縫い合わせる。ポリウレタンを織り込む間隔は７〜１０ｍｍが望ましいが、これに限定するものではない。ポリウレタンの織り込みは、縦一方向或いは横一方向又は縦横双方でもよい。外側と内側の生地の縫い合わせの間隔は８ｃｍ前後が望ましいがこれに限定するものではない。生地の端部はほつれないよう端面処理を行う。図１は外側の生地の一例の平面図、図２は外側と内側の生地を縫い合わせた状態の一例の平面図、図３は縫い合わせた生地を筒状に形成した一例の斜視図である。
【００１２】
外側に使う生地は、羅布麻が望ましいが、木綿や絹等を使用してもよい。内側に使う生地は絹がのぞましいがこれに限定するものではない。
前記筒状に形成した生地に熱を加え、ポリウレタンを収縮させる。加える熱は９０度前後で１時間程度維持する。熱の加え方は、９０度前後に加熱したお湯に浸す、オーブンで加熱する等があるが、内側の生地に生絹を使用する場合は、お湯に浸すことが望ましい。お湯で熱を加えた場合は、その後乾燥させて完成となる。
【００１３】
熱を加えた生地は、ポリウレタンが収縮し、外側の生地に凹凸のしわが形成され、全体として収縮する。内側の生地は収縮しないが、外側の生地の収縮によりたるみが形成され、そのたるみ部に空気層が形成される。図４は熱を加えた後の一例の平面図、図５はそのＡ−Ｂ断面図である。
【００１４】
外側の生地は収縮後、伸縮性を有するゴムのような特性を持つため、この保温衣を腹部、膝部、肘部、手首部等に被着して冷え等を防止する。被着する部位に応じて、生地の大きさを調整する。
【００１５】
本考案品と従来品とでの保温効果について試験を行った。従来品とは、内側の生地が無く外側の凹凸しわのある生地のみのものである。試験条件は、５００ｍｌ入りビーカーに摂氏５０度４００ｍｌのお湯を入れ、ビーカーの周りを本考案品で覆ったものと、同じく５００ｍｌ入りビーカーに摂氏５０度４００ｍｌのお湯を入れ、ビーカーの周りを従来品で覆ったものとを用意し、２時間後の温度変化を３０分単位に測定した。室温は１８度である。
【００１６】
結果をみると、３０分目には約３度の温度差が表れ、以降２時間後に到るまで約２度の温度差を保つものであった（表１及び表２参照）。この結果から本考案品は従来品よりも高い保温力が示された。
【表１】
0003150175.tif 000003
【表２】
0003150175.tif 000004
【実施例２】
【００１７】
前記生地の端部２箇所に、帯状のゴムを縫い付ける。筒状の前周に渡りゴムをつけてもよいが、収縮後の生地はそれ自体で伸縮性を有するため、基本的にゴムは必要としないが、生地の保持力だけでは身体に保持できないことを考慮して、間接的に支持するために、２箇所程度ゴムを取り付けるとよい。
【００１８】
体型にもよるが、生地の保持力だけではずれ落ちてしまうような場合には、この２箇所のゴムが程よく支え、圧迫感もなく快適な被着感を提供することができる。図６はゴムを取り付けた場合の一例の斜視面図である
【産業上の利用可能性】
【００１９】
この身体保温衣は工業生産が可能であり、供給者による製造、販売が可能である。
【符号の説明】
【００２０】
１  外側の生地
２  ポリウレタン
３  内側の生地
４  縫いしろ
５  縫い合わせ部
６  空気層
７  ゴム
【図１】
0003150175.tif 000005
【図２】
0003150175.tif 000006
【図３】
0003150175.tif 000007
【図４】
0003150175.tif 000008
【図５】
0003150175.tif 000009
【図６】
0003150175.tif 000010